(57)【要約】      （修正有）【課題】アウトドアで使用することを前提に、ネジ等の細かな部材や工具等をいっさい使用しないで組み立てることができる安全な組立式ベンチを提供する。【解決手段】組立式ベンチは、１個又は複数個の板材又は角材による着座部１を有し、着座部１の上面左右に窪みを設けて凹部となし、上面固定棒と下面固定棒を概ね神社の鳥居形状に２本の側棒で連結固定した脚部３を左右２個有し、１個又は複数個の着座部の上面左右に設けた凹部に左右の脚部の上面固定棒をそれぞれ嵌め込み、左右の脚部を外側に開いたハの字形状を形成して上面固定棒と下面固定棒により着座部を固定する。【選択図】図１
0003203058.tif 000002
【実用新案登録請求の範囲】
【請求項１】
１個又は複数個の板材又は角材による着座部１を有し、着座部１の上面左右に窪みを設けて凹部２となし、
上面固定棒５と下面固定棒６を有し、上面固定棒５と下面固定棒６を概ね神社の鳥居形状に２本の側棒４で連結固定した脚部３を左右２個有し、
１個又は複数個の着座部１の上面左右に設けた凹部２に左右の脚部３の上面固定棒５をそれぞれ嵌め込み、
左右の脚部３を外側に開いたハの字形状を形成して上面固定棒５と下面固定棒６により着座部１を固定するように構成したことを特徴とする組立式ベンチ。
【考案の詳細な説明】
【技術分野】
【０００１】  本考案は、アウトドアで使用することを前提に、ネジ等の細かな部材や工具等をいっさい使用しないで組み立てることができる組立式ベンチの構造に関する。
【背景技術】
【０００２】  本考案の先行事例として、参考写真１で示すような板材の両端を２個の金属製の脚にてハの字形状に固定して使用するワークベンチが販売されており、他の例として、着座部の底面に、左右一対の脚部の基端を回動自在に取り付け、立設時に該左右脚部が互いに垂直よりやや外に開いたハの字を形成して係止される仕組みであると共に、環境対策として座面板材にバイオマスプラスチック製押し出し成形材を採用し、安全対策として折畳み時と立設時に脚部基端の回動をロックするロック部材を備えた折畳みベンチ（特許文献１）がある。【０００３】
【特許文献１】特開２００８−１５４９７７号
【考案の概要】
【考案が解決しようとする課題】
【０００４】  参考写真１で示す先行事例であるワークベンチは、人が座る際に着座部となる板材の上面及び底面とも平らな表面であり、平らな表面に２個の金属製の脚をハの字形状に固定して使用する構造であるので、着座部となる板材の上面及び底面が平面であるので２個の金属製の脚は滑りやすく、板材から外れて着座部が倒れて危険であるといった課題を有する。【０００５】  特許文献１で示す折畳みベンチは、ベンチを構成している部材が最低でも６個必要であるので組立が面倒であり、細かな部材も有しているので細かな部材は無くしやすく、保管や持ち運びも面倒であるといった課題を有する。
【課題を解決するための手段】
【０００６】  本考案の組立式ベンチは、
１個又は複数個の板材又は角材による着座部１を有し、着座部１の上面左右に窪みを設けて凹部２となし、
上面固定棒５と下面固定棒６を有し、上面固定棒５と下面固定棒６を概ね神社の鳥居形状に２本の側棒４で連結固定した脚部３を左右２個有し、
１個又は複数個の着座部１の上面左右に設けた凹部２に左右の脚部３の上面固定棒５をそれぞれ嵌め込み、左右の脚部３を外側に開いたハの字形状を形成して上面固定棒５と下面固定棒６により着座部１を固定するように構成したことを特徴とする。
【考案の効果】
【０００７】  本考案の組立式ベンチを使用すれば、着座部１の上面左右に設けた凹部２に左右の脚部３の上面固定棒５をそれぞれ嵌め込み、左右の脚部３を外側に開いたハの字形状を形成して上面固定棒５と下面固定棒６により着座部１を固定するように構成したので、左右の脚部３は凹部２により位置が固定されて動かないので、脚部３が板材から外れることは無いので安全であるといった効果を有する。【０００８】  さらには本考案の組立式ベンチは着座部１と２個の脚部３による３個の比較的大きな部材で構成され、しかも細かな部材は有していないので、部材を無くすことが少なく、保管や持ち運びも容易であるといった効果を有する。【０００９】  さらに複数個の着座部１を有する組立式ベンチでは、組立式ベンチを構成する部材の数量は増加するが、複数個の幅の狭い着座部１となることにより保管や持ち運びがさらに容易になるといった効果を有るほか、幅の狭い板材を複数個用いることにより、より幅の広い着座部１を構成することができるといった効果を有するのである【００１０】  さらに本考案の組立式ベンチの着座部１となる板材又は角材の調達は、既に十分乾燥され市場に出回っている流通材を利用できるため、急な注文や大量の需要に対しても十分に対応できるのである。
【図面の簡単な説明】
【００１１】
【図１】  板材による着座部の組立式ベンチの斜視図。
【図２】  角材による着座部の組立式ベンチの斜視図。
【図３】  複数の板材による着座部を有する組立式ベンチの斜視図。
【図４】  着座部の説明用斜視図。
【図５】  脚部の説明用正面図。
【図６】  組立式ベンチの組立図。
【図７】  組立式ベンチの組立順序例図
【考案を実施するための形態】
【００１２】  以下、本考案の組立式ベンチについて図面を参照して詳細に説明する。
【００１３】    図１は板材による着座部の組立式ベンチの斜視図、図２は角材による着座部の組立式ベンチの斜視図、図３は複数の板材による着座部を有する組立式ベンチの斜視図、図４は着座部の説明用斜視図、図５は脚部の説明用正面図、図６は組立式ベンチの組立図、図７は組立式ベンチの組立順序例図、である。
【００１４】  本考案の組立式ベンチの構造は、
（イ）１個又は複数個の板材又は角材による着座部１を有し、着座部１の上面左右に窪み      を設けて凹部２となし、
（ロ）上面固定棒５と下面固定棒６を有し、上面固定棒５と下面固定棒６を概ね神社の鳥      居形状に２本の側棒４で連結固定した脚部３を左右２個有し、
（ハ）１個又は複数個の着座部１の上面左右に設けた凹部２に左右の脚部３の上面固定棒      ５をそれぞれ嵌め込み、左右の脚部３を外側に開いたハの字形状を形成して上面固      定棒５と下面固定棒６により着座部１を固定する。
本考案の組立式ベンチは上記のように構成されている。
【００１５】  本考案の組立式ベンチの組立方法を図６及び図７を参照して説明すれば、
（イ）板材又は角材による着座部１の左右から、２個の脚部３の上面固定棒５と下面固定      棒６の隙間をそれぞれ差し込み、
（ロ）板材又は角材による着座部１の上面左右に有する凹部２に脚部３の上面固定棒５を      それぞれ嵌め込むように固定し、
（ハ）板材又は角材による着座部１の左右の凹部２に嵌め込むように固定した２個の脚部      ３を外側に開いたハの字形状を形成するように地面等に固定する。
（ニ）このとき、ハの字形状を形成した２個の脚部３の下面固定棒６は組立式ベンチの左      右外側になるように組み立てると、脚部３の上面固定棒５が着座部１の上面左右に      有する凹部２の溝に落ち込んだ落ち込み分により脚部３の外側への広がり幅を抑え      ることができるのである。
本考案の組立式ベンチは以上のように組み立てて使用する。
【００１６】  本考案の組立式ベンチを使用すれば、着座部１の左右から２個の脚部３の上面固定棒５と下面固定棒６の隙間をそれぞれ差し込み、着座部１の上面左右に有する凹部２に脚部３の上面固定棒５をそれぞれ嵌め込むように固定し、着座部１の左右の凹部２に嵌め込むように固定した２個の脚部３を外側に開いたハの字形状を形成するように固定しているので、左右の脚部３は凹部２により位置が固定されて動かないので脚部３が板材から外れることは無いのである。
【００１７】  脚部３の上面固定棒５と下面固定棒６の隙間の大きさは、板材や角材の厚さよりやや大きめの数値とすることで脚部３は着座部１に容易に嵌め込むことが可能となるが、脚部３の上面固定棒５は、着座部１の凹部２に凹部２の深さ分だけ落ち込んで固定されるため、脚部３をハの字形状に外側に開けば着座部１の下面と下面固定棒６の隙間が大きくなって脚部３が開きすぎることがあるので、脚部３の下面固定棒６は組立式ベンチの左右外側になるように組み立てれば脚部３が開きすぎることを防止できるのである。
【００１８】  又、本考案の組立式ベンチは着座部１と２個の脚部３のみによる３個の比較的大きな部材のみで構成され、細かな部材は有していないので部材を無くすことが少なく、保管や持ち運びも容易である。
【００１９】  図３は着座部１として用いる板材や角材の数量を複数個とした複数の板材による着座部を有する組立式ベンチの斜視図であり、この組立式ベンチの例では２枚の板材による着座部１を有する組立式ベンチの例である。
【００２０】  このように複数個の着座部１を有する例の組立式ベンチでは、組立式ベンチを構成する部材の数量は増加するが、幅の狭い板材の着座部１となることにより保管や持ち運びがさらに容易になるといった効果を有るほか、幅の狭い板材を２枚用いる例のように幅の狭い着座部を複数個用いることにより、より幅の広い着座部１を構成することができるのである。
【００２１】  さらに１個又は複数個の着座部１を有する組立式ベンチでは、屋外でのレジャー等で簡単に複数の人が座ることができるベンチを簡単に組み立てられるばかりではなく、家の庭の花や野菜を栽培する鉢やプランターを置くベンチとしても使用できるので、アウトドアでのいろいろな場面で活用することができるのである。
【００２２】    図４は板材による着座部の説明用斜視図であり、着座部１の上面には窪みによる凹部２を有しており、凹部２には脚部３の上面固定棒５を嵌め込んで上面固定棒５の位置を決めると共に、上面固定棒５を着座部１に対して左右に移動しないように固定して、脚部３が着座部１から外れることを防止して安全性を高めているのである。
【００２３】  これらの着座部１となる板材又は角材の調達は、既に十分乾燥され市場に出回っている流通材を利用できるため、急な注文や大量の需要に対しても十分に対応できるのである。
【００２４】    図５は脚部の説明用正面図であり、脚部３は鉄製のパイプを組み合わせて形成されており、上面固定棒５と下面固定棒６及び接地面固定棒７の両端を、２本の側棒４により溶接等の手段により強固に接続固定して形成され、脚部３の上面固定棒５と下面固定棒６の隙間には着座部１が嵌め込まれて固定され、接地面固定棒７は側棒４が接地面において開かないように固定しているが、接地面固定棒７は無くても可能である。
【００２５】  さらに本考案の組立式ベンチでは、工具、ネジなどをいっさい使わない組立式なので、アウトドアでの使用や、フリーマーケットでの陳列棚などでの持ち運びに適しており、イベントやマーケットなどの簡易展示台として使いやすものであり、着座部を角材としたの場合は凹部の深さを深くすることで脚部３の上面固定棒５を沈み込ませることが可能で、着座部１の出っ張りを無くすこともできるのである。
【符号の説明】
【００２６】      １  着座部
２  凹部
３  脚部
４  側棒
５  上面固定棒
６  下面固定棒
７  接地面固定棒
【図１】
0003203058.tif 000003
【図２】
0003203058.tif 000004
【図３】
0003203058.tif 000005
【図４】
0003203058.tif 000006
【図５】
0003203058.tif 000007
【図６】
0003203058.tif 000008
【図７】
0003203058.tif 000009